(57)【要約】【課題】折り畳み可能な梱包装容器であって、上下方向及び横方向の圧力や衝撃に対する耐性があり、運搬時及び保管時の変形により内容物を損傷するおそれのない梱包装容器を提供する。【解決手段】底板とその相対向する２辺から起立する２枚の折曲側板とを有するプラスチック段ボール製の底板付側板；相対向する２辺から２枚の折曲側板が各々垂下している枠体；枠体の他の２辺から各々垂下しているプラスチック段ボール製の２枚の揺動側板；枠体の折曲側板が垂下している２辺から、各折曲側板の内側で底板まで垂下しているプラスチック段ボール製の２枚の補強側板；及びプラスチック段ボール製の蓋を有し、各折曲側板の上部、下部及び中間、各揺動側板の上部、各補強側板の上部に折目線が形成されており、箱形形状から扁平な折り畳み状態に変化する梱包装容器。【選択図】図１
2010149934.tif 000002
【特許請求の範囲】
【請求項１】
（１）四角形状の底板と、底板の相対向する２辺から起立する２枚の四角形状の折曲側板とを有するプラスチック段ボール製の底板付側板；
（２）四角形状の枠体であって、相対向する２辺から２枚の折曲側板が各々垂下している枠体；
（３）枠体の他の相対向する２辺から各々垂下して底板の残る２辺に至るプラスチック段ボール製の２枚の四角形状の揺動側板；
（４）枠体の折曲側板が垂下している相対向する２辺から、各折曲側板の内側で垂下して底板に至るプラスチック段ボール製の２枚の補強側板；及び
（５）枠体上に載置されて枠体の開口部を覆うプラスチック段ボール製の四角形状の蓋を有する梱包装容器において；
（６）各折曲側板の上部には水平な上部内折り折目線が形成されており、各折曲側板下部と底板との境界線は更に内折り可能な下部内折り折目線を形成しており、各折曲側板の上部内折り折目線と下部内折り折目線の間には、水平な中間外折り折目線が形成されており；
（７）各揺動側板には、上部に水平な内折り折目線が形成されており；
（８）各補強側板の上部には水平な内折り折目線が形成されており、各補強側板の幅は折曲側板の幅より狭く、各折曲側板がその各側縁から、少なくとも揺動側板の内折り折目線から下端までの間隔分の幅を各補強側板で覆われることのない位置に各補強側板が取り付けられており；
（９）各揺動側板を内折り折目線で内折りし、各補強側板を内折り折目線で内折りし、底板付側板を、各折曲側板を上部内折り折目線及び下部内折り折目線で内折りし中間外折り折目線で外折りして折り畳むことにより、箱形の梱包装容器形状から扁平な折り畳み状態に変化するようにした梱包装容器であって、
（１０）各補強側板が、梱包装容器を箱形に組み立てたときに下辺から折目線を介して底板に沿って延出する板状係止部を有し、両方の板状係止部の末端が互いに当接して各補強側板を枠体から垂下した状態に保持し、各補強側板から板状係止部が延出する折目線が少なくとも１８０°まで展開可能な折目線である梱包装容器。
【請求項２】
各折曲側板の中間外折り折目線が、上部内折り折目線と下部内折り折目線との間の中央に設けられている請求項１記載の梱包装容器。
【請求項３】
蓋が、枠体の一辺に、その辺との接続部を軸として揺動可能に取り付けられている請求項１記載の梱包装容器。
【請求項４】
各揺動側板と底板とが、梱包装容器を箱形に組み立てたときに各揺動側板の下部をそれぞれ底板の上記２辺に係止するための係止部を有する請求項１記載の梱包装容器。
【請求項５】
各補強側板及び各折曲側板の少なくとも一方が、梱包装容器を箱形に組み立てたときに各補強側板を枠体から垂下した状態に保持する係止部を有する請求項１記載の梱包装容器。
【請求項６】
枠体の揺動側板が垂下している各辺上の蓋の少なくとも２辺各々から、蓋タブが垂下しており、底板の各側縁から底板タブが起立しており、枠体の揺動側板が垂下している各辺の外面、各蓋タブの内面及び底板タブの外面に、面ファスナーが取り付けられており、梱包装容器を箱形に組み立てたときに、蓋は蓋タブ内面の面ファスナーと枠体外面の面ファスナーを貼り付けることにより枠体に固定され、梱包装容器が折り畳み状態にあるときには、蓋タブ内面の面ファスナーと底板タブ外面の面ファスナーとを貼り付けることにより折り畳み状態を固定する請求項１記載の梱包装容器。
【請求項７】
枠体の蓋が取り付けられていない３辺上の蓋の３辺各々から、蓋タブが垂下しており、底板の各側縁から底板タブが起立しており、枠体の蓋が取り付けられている辺に相対向する辺の外面、各蓋タブの内面及び底板タブの外面に、面ファスナーが取り付けられており、梱包装容器を箱形に組み立てたときに、蓋は枠体との接続部と相対向する辺の蓋タブ内面の面ファスナーと前記枠体外面の面ファスナーを貼り付けることにより枠体に固定され、梱包装容器が折り畳み状態にあるときには、蓋の相対向する辺から垂下する蓋タブの内面の面ファスナーと底板タブ外面の面ファスナーとを貼り付けることにより折り畳み状態を固定する請求項３記載の梱包装容器。
【請求項８】
各支え板が、相対向する２辺がロール状物の直径より大きく梱包装容器の内側の高さ以下の長さであり、他の相対向する２辺がロール状物の直径より大きく梱包装容器の内側の幅又は奥行き以下の長さである四角形であり、梱包装容器内でロール状物の外周を梱包装容器の内面に接触させずに支持する支持機構を有するものである請求項１記載の梱包装容器。
【発明の詳細な説明】
【技術分野】
【０００１】
本発明は、折り畳み可能な梱包装容器、梱包装容器の再使用方法及び梱包装容器を用いたロール状物の梱包装方法に関する。
【背景技術】
【０００２】
物品の保管、運搬に用いられる組み立て及び展開可能な梱包装容器としては、紙製の段ボール箱が広く用いられている。しかし、紙製の段ボール箱は、一度使用すると損傷は吸湿などで強度が低下して再使用不可能となり、段ボールゴミとなる。また、組み立て時や展開時に紙粉が発生し、異物の混入による影響の大きい物品、特に電子材料等の物品の保管、運搬には不適である。
【０００３】
これを解消する梱包装容器として、プラスチック段ボールを用いることにより、強度に優れ、紙粉の発生もなく、しかも折り畳み可能にした容器がある（例えば、特許文献１参照）。この容器は、上部枠体の相対向する２辺にの２枚の揺動側板を、他の相対向する２辺に底板を介して連結された２枚の折曲側板を取り付けたものである。揺動側板、折曲側板及び底板はプラスチック段ボール製であり、揺動側板の枠体下部、折曲側板の枠体下部及び中央、折曲側板と底板の連結部に、プラスチック段ボールに基板一枚を残して切り込みを入れて形成した水平な折目線が設けられている。容器の折り畳み時には、それら折目線で揺動側板、折曲側板及び折曲側板と底板の連結部を折り曲げ、容易に畳み込むことができる。
しかし、上記のプラスチック段ボール製の容器は、折曲側板の中央に折目線があるため、荷重がかかったときや衝撃時に折曲側板が内側に歪み、折曲側板の折目線が内容物に接触し、損傷を与えることがある。
【先行技術文献】
【特許文献】
【０００４】
【特許文献１】特開平６−１３５４４０号公報（特許請求の範囲、第１図）
【発明の概要】
【発明が解決しようとする課題】
【０００５】
本発明は、プラスチック段ボールを用いた折り畳み可能な梱包装容器であって、上下方向及び横方向の圧力や衝撃に対する耐性があり、運搬時及び保管時の変形により内容物を損傷するおそれのない梱包装容器と、その再使用方法を提供することを目的とする。
【０００６】
本発明は、更に、上記の梱包装容器を用いたロール状物の梱包装方法を提供することを目的とする。
【課題を解決するための手段】
【０００７】
本発明は、（１）四角形状の底板と、底板の相対向する２辺から起立する２枚の四角形状の折曲側板とを有するプラスチック段ボール製の底板付側板；
（２）四角形状の枠体であって、相対向する２辺から２枚の折曲側板が各々垂下している枠体；
（３）枠体の他の相対向する２辺から各々垂下して底板の残る２辺に至るプラスチック段ボール製の２枚の四角形状の揺動側板；
（４）枠体の折曲側板が垂下している相対向する２辺から、各折曲側板の内側で垂下して底板に至るプラスチック段ボール製の２枚の補強側板；及び
（５）枠体上に載置されて枠体の開口部を覆うプラスチック段ボール製の四角形状の蓋を有する梱包装容器であって；
（６）各折曲側板の上部には水平な上部内折り折目線が形成されており、各折曲側板下部と底板との境界線は更に内折り可能な下部内折り折目線を形成しており、各折曲側板の上部内折り折目線と下部内折り折目線の間には、水平な中間外折り折目線が形成されており；
（７）各揺動側板には、上部に水平な内折り折目線が形成されており；
（８）各補強側板の上部には水平な内折り折目線が形成されており、各補強側板の幅は折曲側板の幅より狭く、各折曲側板がその各側縁から、少なくとも揺動側板の内折り折目線から下端までの間隔分の幅を各補強側板で覆われることのない位置に各補強側板が取り付けられており；
（９）各揺動側板を内折り折目線で内折りし、各補強側板を内折り折目線で内折りし、底板付側板を、各折曲側板を上部内折り折目線及び下部内折り折目線で内折りし中間外折り折目線で外折りして折り畳むことにより、箱形の梱包装容器形状から扁平な折り畳み状態に変化するようにした；
ことを特徴とする梱包装容器を提供する。
【０００８】
また、本発明は、上記の箱形の組み立て状態にある梱包装容器に収容物を梱包することを特徴とする梱包装方法を提供する。
また、本発明は、収容物の梱包部署で上記の箱形の組み立て状態にある梱包装容器に収容物を梱包し、収容物の使用部署に搬送し、使用部署にて収容物を取り出した後、梱包装容器を折り畳んで収容物の梱包部署に返送することを繰り返し行なうことを特徴とする梱包装容器の再使用方法を提供する。
【発明の効果】
【０００９】
本発明によれば、折り畳み可能で繰り返し使用に耐え、耐湿性、軽量性に優れ、かつ上下方向の加圧等への耐性が大幅に向上した梱包装容器が得られる。また、本発明の梱包装方法によれば、輸送、保管時梱包装容器の変形、荷崩れ等がなく、収容物を安全に梱包、輸送することができる。
【図面の簡単な説明】
【００１０】
【図１】本発明の梱包装容器の一態様の箱形の組み立て状態を示す斜視図である。
【図２】図１の梱包装容器の折り畳み状態を示す斜視図である。
【図３】図１の梱包装容器に用いられる支え板の一態様を示す斜視図である。
【図４】図３に示す支え板２枚を感光性フィルムロールに装着した状態を示す断面図である。
【図５】図１の梱包装容器内に、支え板を用いて感光性フィルムロールを収容した状態を示す斜視図である。
【図６】図１の梱包装容器のＡ−Ａ部分断面図である。
【発明を実施するための形態】
【００１１】
本発明の梱包装容器の枠体の材質は、荷重、衝撃に耐えて枠体形状を維持しうる強度を有するものであれば特に制限はなく、例えば、金属、プラスチック等を用いることができる。軽量化の点からは、プラスチックが好ましい。使用可能なプラスチックとしては、例えばポリプロピレン、ポリエチレン等が挙げられる。また、プラスチック段ボールとしては、例えばポリプロピレン、ポリエチレン等を材料とするものが挙げられる。
【００１２】
プラスチック段ボールは、例えば、対向する２枚のプラスチック外壁板と、その外壁板間に一定間隔で設けられ、両外壁板を接続しかつ一定間隔に固定する複数のプラスチック心材とからなる。従って、プラスチック段ボール板に一方の外壁板のみを残すように一本の切り込みを入れることにより、折り畳み状態まで曲折可能で、かつ、展開時にはプラスチック段ボール板を立設させた場合の上下方向の圧力に耐えて曲折しない折目線を形成することができる。例えば、折曲側板、揺動側板及び補強側板の内折り折目線は、梱包装容器内部からみて内側の外壁板を残して外側から切り込みを入れ、折曲げ側板の外折り折目線は、外側の外壁板を残して内側から切り込みを入れることにより、容易に各折目線を形成することができる。切り込みは、直線状であってもよいし、折り畳み可能な程度のジグザグな線状であってもよい。
なお、各折目線は、上記のようにプラスチック段ボールに切り込みを入れて形成することが好ましいが、その形成方法に特に制限はない。例えば、２枚のプラスチック段ボール板をちょうつがい等を用いて折曲可能に接続して形成してもよい。
【００１３】
本発明の梱包装容器は、プラスチック板、プラスチック段ボール等のリサイクル可能な環境への負荷が小さい材料を使用しており、何度も再生でき、資源、資材が節減でき、多少のイニシャルコストはかかるが、使用回数を増やせばファイナルコストを大幅に低減することができる。また、紙製ダンボールのように１回使用毎に多量のゴミが発生せず、廃棄する場合もマテリアルリサイクル可能なポリプロピレン又はポリエチレンで容器素材及び部品素材を統一することで、回収、再利用が容易に可能である。更に、プラスチック素材はメルト油化分解により処理可能であるため、サーマルリサイクル原料となり、燃料への活用においても、焼却時のＳＯｘ、ＮＯｘなどの有害物を発生せず、環境負荷を低減し、環境対応にも優れている。また、プラスチックは紙粉などを発塵しない材料であるため、クリーンである。更に、折曲側板の内側に補強側板を設けたことにより、上下方向の圧力や横方向からの衝撃に対しても耐性があり、箱の変形やそれに伴う内容物の損傷を防ぐことができる。特に、ロール状物を折曲側板と平行に収容した場合など、折曲側板の中間外折り折目線との接触を防ぐことができ、有効である。
【００１４】
この梱包装容器の大きさは、特に制限はないが、通常、幅１５０〜６３０ｍｍ、長さ２００〜７００ｍｍ、高さ１００〜２５０ｍｍの大きさとすることが好ましい。
【００１５】
運搬時の梱包装容器の変形を防止し、信頼性を高めるためには、枠体の各辺の下面に凹部を設けて揺動側板及び底板付側板上端部を嵌合させ、接着、更に好ましくはリベットで固定することが好ましい。
【００１６】
この梱包装容器においては、枠体の四隅に補強体が取り付けられていることが好ましい。補強体は、プラスチック段ボールと同様のプラスチック素材のプラスチック成形体とすることが好ましい。補強体の形状は、それぞれが対応する枠体の隅に嵌合して枠体の隅を上から覆う形状とすることが好ましく、また、それぞれが枠体にリベットで固定されていることが好ましい。補強体の枠体外面を覆う部分の上部を突出させることにより、梱包装容器をそろえて段積みすることを容易にすることができる。
【００１７】
また、各揺動側板の両側端部に、補強帯を取り付けることが好ましい。補強帯は、揺動側板の片面に取り付けてもよいし、両面に取り付けてもよい。補強帯としては、プラスチック段ボールと同様のプラスチック素材のプラスチック板を用いることが好ましい。各揺動側板の内面に取り付けられる補強帯の垂直方向の長さは、揺動側板に設けられた内折り折目線から補強帯の厚み分下がった部分から、揺動側板の下辺まで達するの長さとすることが好ましい。各揺動側板の外面に取り付けられる補強帯の垂直方向の長さは、揺動側板に設けられた内折り折目線から、揺動側板の下辺まで達するの長さとすることが好ましい。また、揺動側板の内面に補強帯を設ける場合、揺動側板の内折り折目線の位置は、枠体への取り付け部より少なくとも補強帯の厚み分下げることが好ましい。
【００１８】
補強側板に加えて、上記の補強体及び補強帯が梱包装容器の荷重に対する耐性を更に高め、本発明の梱包装容器を段積み荷重等の上下の圧力にさらに十分に耐えうるものとすることができる。また、補強体を枠体にリベットで固定することにより、段積み時の横方向への荷重や衝撃にも十分に耐え、また、運搬時の変形のおそれがなく、信頼性の高い梱包装容器とすることができる。
【００１９】
各揺動側板の下端をそれぞれ底板の側縁である２辺に密着させて箱形の組み立て状態を固定するために、各揺動側板と底板とに係止部を設けることが好ましい。例えば、各揺動側板の下部に１又は２以上の係止孔を設け、底板の各側縁から起立する底板タブを延出させ、更に底板タブから内側方向に突出する１又は２以上の突部を延出させ、上記係止孔に嵌合させることができる。この場合、揺動側板の係止孔と底板タブの凸部とが係止部となる。逆に、底板タブに１又は２以上の係止孔を設け、各揺動側板の下端又は下端近くから１又は２以上の凸部を外側方向に向けて突出させ、上記係止孔に嵌合させてもよい。この場合、揺動側板の凸部と底板タブの係止孔とが係止部となる。
【００２０】
各揺動側板の下端から内側に直角に、揺動側板タブを延出させてもよい。この揺動側板タブにより、加圧や衝撃時にも揺動側板の垂下状態を保つことがより確実となる。
【００２１】
枠体の折曲側板が垂下している相対向する２辺には、各折曲側板の内側で垂下して底板に至るプラスチック段ボール製の２枚の補強側板が取り付けられている。各補強側板の上部には、水平な内折り折目線が形成されている。また、各補強側板の幅は折曲側板の幅より狭く、各折曲側板がその各側縁から、少なくとも揺動側板の内折り折目線から下端までの間隔分の幅を各補強側板で覆われることのない位置に取り付けられている。従って、折り畳み時に揺動側板と接触することがなく、容易に梱包装容器を折り畳むことができる。各補強側板は、折曲側板と同様に枠体下面の凹部に嵌合させて取り付けてもよいし、枠体の梱包装容器内の側面に取り付けてもよい。取り付けは、接着及び／又はリベット止め等があり、リベット止めすることが好ましい。
【００２２】
各補強側板及びそれに隣接する折曲側板の少なくとも一方が、梱包装容器を箱形に組み立てたときに各補強側板を枠体から垂下した状態に保持する係止部を有することが好ましい。例えば、各折曲側板の下部に１又は２以上の係止孔を設け、各補強側板の下端又は下端近くから１又は２以上の凸部を外側方向に向けて突出させ、上記係止孔に嵌合させてもよい。この場合、補強側板の凸部と折曲側板の係止孔とが係止部となる。逆に、各補強側板の下部に１又は２以上の係止孔を設け、各折曲側板の下部から１又は２以上の凸部を内側方向に向けて突出させ、上記係止項に嵌合させてもよい。また、各補強側板に、梱包装容器を箱形に組み立てたときに下辺から折目線を介して底板に沿って延出する板状係止部を形成し、両方の板状係止部の延出長を両方の末端が互いに当接する長さとしてもよい。このようにすることにより、両方の板状係止部が各補強側板を枠体から垂下した状態に保持する。梱包装容器の折り畳みを可能にするために、各補強側板から板状係止部が延出する折目線は、少なくとも１８０°まで展開可能な折目線とすることが好ましい。また、補強側板と板状係止部との間の折目線は、梱包装容器内部からみて内側から、９０°のＶ字切り込みとすると、箱状態において直角を保つことができ、好ましい。この切り込みは、例えば、Ｖ字の断面を有する熱刃を押圧することにより容易に形成することができる。
【００２３】
本発明の梱包装容器は、各揺動側板を内折り折目線で内折りし、各補強側板を内折り折目線で内折りし、底板付側板を、各折曲側板を上部内折り折目線及び下部内折り折目線で内折りし外折り折目線で外折りすることにより、箱形の梱包装容器形状から扁平な折り畳み状態に変化する。
【００２４】
蓋は、取り外し可能であってもよく、枠体の一辺に、その辺との接続部を軸として揺動可能に取り付けられていてもよい。梱包装容器の一体化の点からは、後者が好ましい。
【００２５】
蓋の係止方法には、特に制限はないが、枠体の少なくとも相対向する２辺の外面に面ファスナーを取り付け、蓋の相対向する２辺から内側に面ファスナーを取り付けた蓋タブを延出させて垂下させ、枠体の相対向する２辺の外面と２つの蓋タブとを面ファスナーで貼り合わせることにより蓋を枠体に係止できるようにすることが好ましい。蓋を取り外し可能にする場合には、枠体の４辺の外面に面ファスナーを取り付け、蓋タブの４辺から内側に面ファスナーを取り付けた蓋タブを延出させて垂下させて、４面で係止してもよい。
【００２６】
また、例えば、枠体の揺動側板が垂下している各辺上の蓋の２辺各々から蓋タブを垂下させ、底板タブの外面にも面ファスナーを取り付けることにより、梱包装容器の箱形状態での蓋の係止と、折り畳み状態の固定をすることができる。すなわち、梱包装容器を箱形に組み立てたときには、蓋タブ内面の面ファスナーと枠体外面の面ファスナーを貼り付けることにより蓋を枠体に固定する。梱包装容器が折り畳み状態にあるときには、蓋タブ内面の面ファスナーと底板タブ外面の面ファスナーとを貼り付けることにより折り畳み状態を固定する。
【００２７】
蓋が枠体に取り付けられている場合には、枠体の蓋が取り付けられていない３辺上の蓋の３辺各々から、蓋タブを垂下させ、各蓋タブ内面に面ファスナーを取り付けてもよい。この場合、枠体の蓋が取り付けられている辺に相対向する辺の外面に面ファスナーを取り付け、蓋の接続部と相対向する辺の蓋タブ内面の面ファスナーとを張合わせることにより、箱形状態において蓋を係止する。梱包装容器が折り畳み状態にあるときには、蓋の残りの相対向する２辺の蓋タブ内面の面ファスナーを底板タブ外面の面ファスナーと張合わせることにより、折り畳み状態を固定する。
【００２８】
面ファスナーは、通常、接着剤で取り付けられるが、更にリベットで固定されていることが好ましい。面ファスナーとしては、プラスチック製の面ファスナー、例えばマジックテープ（登録商標）を用いることが好ましい。
【００２９】
このような梱包装容器は、ワンタッチで折り畳んで返送することを繰り返し行なうことが可能なリユース通い箱であり、更に、分離された部材、部品がなく、結束バンド、テープ、接着剤などのゴミの発生がないことが好ましい。
【００３０】
本発明の梱包装容器の再使用方法では、収容物の梱包部署で箱形の組み立て状態にある本発明の梱包装容器に収容物を梱包し、収容物の使用部署に搬送し、使用部署にて収容物を取り出した後、梱包装容器を折り畳んで収容物の梱包部署に返送することを繰り返し行なう。
【００３１】
また、本発明の梱包装容器を用いる梱包装方法では、収容物に特に制限はない。しかし、紙粉等の粉塵を発生せず、吸湿性が極めて低く、耐衝撃性にも優れることから、特に電子材料、中でも、感光性フィルム、液晶下地用フィルム、銀フィルム、接着フィルム、異方導電性フィルム等の電子材料用フィルムのロール状物の梱包に好適に用いられる。
【００３２】
収容物がロール状物である場合、一対の支え板で両端を挟んだロール状物を、相対向する揺動側板又は相対向する折曲側板又は相対向する補強側板に支え板外面を当接させて梱包装容器内に梱包すると、梱包装容器内でロール状物を固定することができ、好ましい。例えば、各支え板として、相対向する２辺がロール状物の直径より大きく梱包装容器の内側の高さ以下の長さであり、他の相対向する２辺がロール状物の直径より大きく梱包装容器の内側の幅又は奥行き以下の長さである四角形のものを用いることにより、梱包装容器内でロール状物の外周を梱包装容器の内面に接触させずに支持することが好ましい。例えば、支え板として、ロール状物の端部を受容するための切り欠き部を支持機構として有するものや、ロール状物の巻芯が中空巻芯である場合、巻芯の中空部に勘合する突起部を支持機構として有するものなどが好適である。支え板としては、プラスチック製のものを用いることが好ましい。また、揺動側板と支え板を一体化し、作業効率を上げることもできる。
【実施例】
【００３３】
実施例１
図１は本発明の一態様である実施例１の梱包装容器の箱形の組み立て状態を示す斜視図であり、図２は図１の梱包装容器の折り畳み状態を示す斜視図である。図３は、図１の梱包装容器に用いられる支え板の一例を示す斜視図であり、図４は、図３に示す支え板２枚を感光性フィルムロールに装着した状態を示す断面図である。図５は、図１の梱包装容器内に、図３に示す支え板を２枚を用いて感光性フィルムロールを収容した状態を示す斜視図である。図６は、図１の梱包装容器のＡ−Ａ部分断面図である。この梱包装容器は、幅４２０ｍｍ、長さ６５０ｍｍ、高さ２２０ｍｍのものである。ポリプロピレン製の四角形状の枠体１の相対向する枠体短辺１ａにポリプロピレン製の厚さ５ｍｍのプラスチック段ボールからなる２枚の揺動側板２がそれぞれ取り付けられ、垂下して底板３ａの側縁に至っている。各揺動側板２には、両面の両側端部に、厚さ２ｍｍ、幅４０ｍｍのポリプロピレン製の補強帯２１が取り付けられている。各揺動側板２には、枠体取り付け部下部に、ポリプロピレン製の把持部２ｂが設けられている。各揺動側板２の枠体取り付け部から７ｍｍ下には、プラスチック段ボールを内側の外壁板を残して切断してなる水平な内折り折目線４５が設けられ、各揺動側板２は内側に折り曲げ可能な構造となっている。各揺動側板２の下部には、２つの係止孔ｘが設けられており、下端からは、梱包装容器内側に直角に、揺動側板タブ２ａが延出している。
【００３４】
枠体の四隅には、それぞれポリプロピレン製の補強体２２が取り付けられている。枠体１、枠体の四隅の補強体２２及び二枚の揺動側板２は、リベット２３で固定されている。
【００３５】
枠体１、プラスチック段ボール、補強体２２及び補強帯２１の材質は上記のものに限られないが、溶融再生、再利用が可能であり、廃棄の際にはリサイクルが可能なように油化又は分解可能なプラスチックであることが好ましい。
【００３６】
上記と同種のプラスチック段ボール製の底板付側板３は、四角形状の底板３ａと、底板３ａの相対向する２辺から起立する２枚の四角形状の折曲側板３ｂ、３ｃとを有する。枠体１の相対向する枠体長辺１ｂには、折曲側板３ｂ、３ｃが取り付けられて垂下している。折曲側板３ｂ、３ｃの各々の枠体取り付け部下部と、側板３ｂ、３ｃと底板３ａの各々の連結部には、それぞれプラスチック段ボールを内側の外壁板を残して切断してなる水平な上部内折り折目線４１下部内折り折目線４３及びが設けられている。更に、側板３ｂ、３ｃには、各々、上部内折り折目線４１と下部内折り折目線４３との中央に、プラスチック段ボールを外側の外壁板を残して切断してなる水平な中間外折り折目線４２が設けられており、底板付側板３は、折り畳み可能な構造となっている。本実施例では、一本の中間外折り折目線４２が上部内折り折目線４１と下部内折り折目線４３の間の中央に設けられているが、底板付側板をコンパクトに折り畳める限り、上部内折り折目線４１と下部内折り折目線４３の間に複数の折目線を各々適当な位置に設けてもよく、外折り折目線を複数設けてもよく、また、一本以上の外折り折目線と一本以上の内折り折目線とを組み合わせて設けてもよい。
【００３７】
枠体１の各長辺１ｂの内面には、四角形状の補強側板３ｄがリベット止めにて底板３ａに至るまで垂下して取り付けられている。各補強側板３ｄの下辺からは、折目線３ｅを介して底板３ａに沿って四角形状の板状係止部３ｆが延出している。両方の補強側板３ｄの板状係止部３ｆの末端が互いに当接して、各補強側板３ｄを枠体１から垂下した状態に保持している。折目線３ｅは、少なくとも１８０°まで展開可能であり、梱包装容器を折り畳んだときに、補強側板３ｄと板状係止部３ｆとをほぼ水平に収容することができる。
【００３８】
枠体１の１つの長辺１ｂからは、接続部５１を軸として揺動可能に、四角形状の蓋５が取り付けられている。枠体の蓋が取り付けられた辺と相対向する枠体長辺１ｂの外面には、マジックテープ（登録商標）２４が取り付けられ、マジックテープ（登録商標）用リベット２４ａで固定されている。蓋５の接続部５１のない３辺からは、蓋タブ２５が垂下しており、蓋タブ２５の内面には、マジックテープ（登録商標）２６が取り付けられ、マジックテープ（登録商標）用リベット２６ａで固定されている。蓋５の接続部５１と相対向する辺の蓋タブ内面のマジックテープ（登録商標）２６と、前記枠体外面のマジックテープ（登録商標）２４とを貼り合わせることにより、簡単に蓋をすることができる。蓋５の長辺の蓋タブ２５は、曲折可能に延出しており、開閉が容易である。ウレタンスポンジ等からなる緩衝性軟質シールシート２７が、枠体１と蓋５との隙間を埋めるように枠体上部に取り付けられており、塵埃の侵入防止の働きをする。
【００３９】
底板３ａは、補強のために２枚重ねとなっており、その内の１枚の両側縁から底板タブ３ａ′が曲折して起立しており、組み立て時に揺動側板２を固定し、内容物の外への飛び出しを防止する。各底板タブ３ａ′上端から、内側方向に突出する２つの突部ｙが延出しており、各揺動側板２の係止孔ｘと嵌合して、揺動側板を係止している。各底板タブ３ａ′の外面には、それぞれマジックテープ（登録商標）２４が取り付けられ、マジックテープ（登録商標）用のリベット２４ａで固定されている。梱包装容器の折り畳み時には、蓋５の２つの短辺から延出した蓋タブ２５内面のマジックテープ（登録商標）２６と張合わせられ、折り畳み状態を固定する。
【００４０】
図３に示す支え板６は、１対で２本のロール状物を固定するものである。一対で１本のロール状物を固定する支え板を用いてもよいし、複数対の支え板を用いて所望の大きさ、数のロール状物を固定してもよい。支え板６は、ロール状物１０の巻芯１１の中空部に嵌合する２つの突起部７を有する。図４に、１対の支え板６をロール状物１０に装着した状態の１対の突起部を通る断面図を示す。ロール状物１０（遮光性のシート等で包装されていてもよい）の両端で、巻芯１１の中空部に支え板６の突起部７を嵌合させて支え板６を装着する。このように２本のロール状物１０に１対の支え板６を装着した後、図５に示すように、各支え板６の外面を各々揺動側板２に当接させて梱包装容器内に収容する。支え板６と巻芯１１との間に緩衝部材（図示せず）を介在させると、収容が容易になり、ロールをしっかり固定することができ、好ましい。
【００４１】
図５に示すように箱形の組み立て状態の梱包装容器にロール状物２本を収容し、蓋５を閉じて運搬する。運搬後、ロール状物を取り出した後は、図２、図６に示すように、両方の揺動側板２を内折り折目線４５を軸として上に引き上げ、両方の補強側板を内折り折目線４４を軸として上に引き上げ、補強側板３ｄと板状係止部３ｆとを折目線３ｆを軸として平坦に展開し、次いで底板付側板３を上部内折り折目線４１、中間外折り折目線４２及び下部内折り折目線４３で折り畳むことにより、一体化した保持アタッチメントがワンタッチで簡単に扁平な形状に折り畳まれ、容積を大幅に減少することができる。
【符号の説明】
【００４２】
１    枠体
１ａ    枠体短辺
１ｂ    枠体長辺
２    揺動側板
ｘ    係止孔
２ａ    揺動側板タブ
２ｂ    把持部
３    底板付側板
３ａ    底板
３ａ′    底板タブ
ｙ    係止突起
３ｂ    折曲側板
３ｃ    折曲側板
４１    上部内折り折目線
４２    中間外折り折目線
４３    下部内折り折目線
４４、４５    内折り折目線
３ｄ    補強側板
３ｅ    折目線
３ｆ    板状係止部
５    蓋
５１    接続部
６    支え板
７    突起部
１０    ロール状物
１１    巻芯
２１    補強帯
２２    補強体
２３    リベット
２４    マジックテープ（登録商標）
２４ａ    リベット
２５    蓋タブ
２６    マジックテープ（登録商標）
２６ａ    マジックテープ（登録商標）用リベット
２７    緩衝性軟質シールシート
【図１】
2010149934.tif 000003
【図２】
2010149934.tif 000004
【図３】
2010149934.tif 000005
【図４】
2010149934.tif 000006
【図５】
2010149934.tif 000007
【図６】
2010149934.tif 000008